(57)【要約】【課題】傾斜した果樹園や耕作地に孔あけを行ってコンポストを充填する土壌改良作業が簡易に行える土壌改良機を提供する。【解決手段】二つの前輪１と一つの後輪２を有する手押し車タイプの車体フレーム３に孔あけ機６と、該孔あけ機６によってあけられた孔にコンポストを充填するホッパー５を設ける。孔あけ機６は、モータ２９を駆動源として回転駆動されるスクリュー２５を有し、該スクリュー２５はハンドル３２の上げ下げによって切り換えられる歯車によるクラッチ２８により回転方向が正逆に切り換えられ、かつスクリュー２５と一体の中間筒２３に形成されるラックに噛合されるピニオン２６が正方向に回転することにより降下して送りが与えられ、逆方向に回転することにより引上げられる。【選択図】図１
2004290191.tif 000002
【特許請求の範囲】
【請求項１】
果樹園等の地面に孔をあけ、あけた孔にコンポストを充填する土壌改良機であって、手押し車又は自走車に果樹園等の地面に孔をあける孔あけ機と、コンポストが入れられるホッパー及び該ホッパーよりコンポストを切り出す切り出し手段を備えたコンポスト供給手段を設けたことを特徴とする土壌改良機。
【請求項２】
上記孔あけ機が傾斜し、地面に斜孔があけられることを特徴とする請求項１記載の土壌改良機。
【請求項３】
上記孔あけ機が上下方向の振動手段を有し、地面への孔あけが振動を与えながら行われることを特徴とする請求項１又は２記載の土壌改良機。
【請求項４】
自走車がエンジンを有し、該エンジンより車輪の駆動機構或いは孔あけ機に動力伝達の切換えを行うクラッチ機構が設けられることを特徴とする請求項１記載の土壌改良機。
【請求項５】
上記手押し車又は自走車が複数の車輪を有し、該車輪のうち、少なくとも一つが昇降可能で、高さが調整可能であることを特徴とする請求項１ないし４記載の土壌改良機。
【発明の詳細な説明】
【技術分野】
【０００１】
本発明は、柑橘類等の果樹園や耕作地（以下、「果樹園等」という）の土壌改良機に関する。
【背景技術】
【０００２】
果樹園等では、収量や品質の低下を来さないようにするため、必要な地力維持のための土づくりが必要である。こうした土づくりは、降雨により表層土が流出し易い傾斜地においてとくに必要であるが、傾斜地では作業が容易でないこともあって地力維持のための土づくりが殆ど行われていないのが実状である。
【発明の開示】
【発明が解決しようとする課題】
【０００３】
本発明は、必要な地力維持のための土づくりが簡易に行える土壌改良機を提供することを第１の目的とし、傾斜地のような作業の容易でない所でも、土づくりが簡易に行える土壌改良機を提供することを第２の目的とする。
【課題を解決するための手段】
【０００４】
請求項１記載の発明は、第１の目的を達成する土壌改良機に関するもので、手押し車又は自走車に果樹園等の地面に孔をあける孔あけ機と、コンポストが入れられるホッパー及び該ホッパーよりコンポストを切り出す切り出し手段を備えたコンポスト供給手段を設けたことを特徴とする。
【０００５】
本発明によると、土壌の改良は、手押し車を押し、或いは自走車を移動させて必要か所に止め、ボーリング機で果樹園等の地面に孔をあけ、あけた孔にコンポスト供給手段からコンポストを充填することにより行われる。
【０００６】
本発明で用いる孔あけ機としては、既知の種々のものを用いることができるが、なかでも簡易なきり状のものを用いるのが望ましい。
【０００７】
ホッパーの切り出し手段は、ホッパーに設けられる既知のもので、ホッパー或いは該ホッパーに接続されるシュートに設けられてコンポストを供給し、或いはその供給を遮断する機能を有し、好ましくはコンポストを一定量ずつ切り出すことができるようにされる。
【０００８】
請求項２に係る発明は、請求項１に係る発明の孔あけ機が傾斜し、地面に斜孔があけられることを特徴とする。
本発明における孔あけ機は、通常、手押し車又は自走者の前側に斜め前下がりに設けられるが、後ろ側に斜め後ろ下がりに設けてもよいし、一側に斜め横方向に傾斜させて設けてもよい。
【０００９】
請求項３に係る発明は、請求項1又は２に係る発明の孔あけ機が上下方向の振動手段を有し、地面への孔あけが振動を与えながら行われることを特徴とする。
本発明で用いる振動手段としては、孔あけ時に振動を与えることのできるものであればよく、その種類を問わないが、敢えて例示すれば、以下の実施形態に示されるような、シャフトに軸方向に周期的に打撃を加える機構を挙げることができる。
【００１０】
請求項４に係る発明は、請求項１に係る発明において、自走車がエンジンを有し、該エンジンより車輪の駆動機構或いは孔あけ機に動力伝達の切換えを行うクラッチ機構が設けられることを特徴とする。
【００１１】
請求項５に係る発明は、第２の目的を達成する土壌改良機に関するもので、請求項１〜４に係わる発明における手押し車又は自走車が複数の車輪を有し、該車輪のうち、少なくとも一つが昇降可能で、高さが調整可能であることを特徴とする。
【発明の効果】
【００１２】
請求項１に係わる発明の土壌改良機によると、手押し車又は自走車に孔あけ機と、孔あけ機によってあけられた孔にコンポストを充填するホッパーよりなるコンポスト供給手段を設けたことにより、孔をあけてコンポストを充填する作業が孔あけ機とコンポスト供給手段を別々に設けて行うよりも簡易に行えるようになる。
【００１３】
請求項２に係る発明の土壌改良機によると、斜めに孔あけを行うことにより果樹の根元或いはその近くの地面に孔をあける作業が果樹の横に張り出す枝が邪魔になることなく行えるようになる。
【００１４】
請求項３に係る発明の土壌改良機によると、硬い土壌に対しても孔あけが容易に行えるようになる。
請求項４に係る発明の土壌改良機によると、クラッチの切換えを行うことにより自走車を自走させたり、自走車を停止させて孔あけを行うことができる。
【００１５】
請求項５に係る発明の土壌改良機によると、傾斜地のようなところでも必要な車輪を上げ下げして高さ調整を行うことにより、土壌改良機を水平にして孔あけ作業を平地と同様にして行うことができる。
【発明を実施するための最良の形態】
【００１６】
図１は、本発明に係わる土壌改良機の全体構成を示すもので、二つの前輪１と一つの後輪２を備えた手押し車タイプの車体フレーム３と、車体フレーム３に取付けられ、停止した位置で車体フレーム３を固定する固定手段４、切り出し手段と共にコンポスト供給手段を構成するホッパー５及び全体を符号６で示す孔あけ機とからなり、以下、これらについて順に説明する。
図示する車体フレーム３は、手押し車タイプのものであるが、動力装置を設けて自走させることもできる。
【００１７】
後輪２は図２に示すように、車体フレーム３に取着される外管８と、外管８にスライド可能に嵌挿される内管９よりなりる二重管構造の内管９に支持され、内管９は外管８に回転のみ可能に軸支されるボールネジ１１に螺着されるナット１２を有し、ボールネジ１１の軸端に固着されるハンドル１３を回動操作することにより、後輪２と共に昇降するようになっている。
【００１８】
固定手段４は、車体フレーム３の前後に昇降可能に支持され、止めネジ１４を弛めることにより昇降し、止めネジ１４を締め込むことにより固定される杭状のロッド１５よりなっており、止めネジ１４を弛め、ロッド１５を地面に打ち込むことにより車体フレーム３を固定できるようになっている。
【００１９】
ホッパー５には、コンポストが入れられ、出口に設けた切り出し手段としてのゲート（図示しない）を開閉することによりシュート１７を介してコンポストが孔あけ機６によって地面にあけられた孔に供給されるようになっている。
【００２０】
孔あけ機６は車体フレーム３に取着される外筒２１と、外筒２１に嵌挿される内筒２２と、外筒２１と内筒２２との間に両筒２１及び２２に対し、それぞれ摺接可能に嵌挿され、外筒２１と内筒２２と共に三重管構造をなし、外周にラックを軸方向に形成した中間筒２３と、中間筒２３に回転のみ可能に軸支されると共に、内筒２２とはキー又はスプライン結合によりスライドのみ可能で、回転方向には一体をなすシャフト２４と、シャフト２４の下端部に取着されるスクリュー２５（図１参照）と、手元に設けた図示しないハンドルの操作によりフレキシブルシャフトを介して回転されるか、或いはモータによって回転駆動され、中間筒２３のラックに噛合するピニオン２６と、外筒上端に固着されるギヤボックス２７内に配置される歯車によるクラッチ２８と、手動操作によりスロットルバルブを操作することによって出力調整が可能なエンジン２９と、ギヤボックス２７に取着される筒体３１に通されてエンジン２９により回転駆動されるシャフト（図示しない）と、該シャフトに回転方向に一体でスライドのみ可能に連結され、ギヤボックス２７に回転かつ摺動可能に軸支されて、ハンドル２２の操作により昇降するシャフト３３とよりなり、内筒上端には歯車３４、３５が固着されると共に、シャフト３３には、歯車３４、３５と共にクラッチ２８を構成する歯車３６が固着され、ハンドル３２の操作によりシャフト３３を下げ、歯車３６を図３に示すように歯車３５に噛合させると、モータ２９を駆動源としてシャフト２４と、その下端に固着されるスクリュー２５を正方向に回転して孔あけ作業を行うようになっており、ハンドル３２の操作によりシャフト３３を上げると、歯車３６が図示しない中間歯車を介して歯車３４に回転を伝え、スクリュー２５を逆方向に回転させるようになっている。そしてピニオン２６を正逆に回転駆動することにより、すなわち中間筒２３を介してシャフト２４を昇降させ、ピニオン２６を正転させることによりシャフト２４を介してスクリュー２５に送りを与え、ピニオン２６を逆転させることによりシャフト２４を介してスクリュー２５を引き上げるようになっている。
【００２１】
すなわち、ピニオン２６の駆動により送りを与えられながらモータ２９を駆動源としてスクリュー２５が正方向に回転駆動されることにより地面への孔あけが行われ、ピニオン２６を逆向きに回転させることによりスクリュー２５の引上げが行われるようになっている。
【００２２】
本実施形態の土壌改良機を用いて果樹園等の土壌改良を行うときには、果樹園等で車体フレーム３を押して移動し、所定位置で停止させる。そして止めネジ１４を弛め、ロッド１５を地面に降ろして打込み固定する。この作業を車体フレーム３の前後で行い、車体フレーム３を固定させる。果樹園等が傾斜し、停止した状態で車体フレーム３が傾斜するときにはハンドル１３の回動操作により、後輪２を昇降させ、車体フレーム３を水平にすることができる。
【００２３】
次にエンジン２９を駆動し、かつピニオン２６を回転して送りを与えながらスクリュー２５を正方向に回転させて果樹園等の地面に孔をあける。孔をあけるときには、孔あけの容易さに応じてエンジンの出力を調整し、スクリュー２５が根に搦む等して孔あけに支障を生じたときには、ハンドル３２の操作により歯車の切り換えを行い、スクリュー２５を逆回転させる操作を適宜繰込みながら孔あけ作業を行う。
【００２４】
一定深さの孔があけられると、手元に設けた図示しないハンドルの操作を逆方向に回し、ピニオン２６を逆回転させてスクリュー２５を地面上に引き上げる。その後、ホッパー５の図示しないゲートを開け、ホッパー内のコンポストをシュート１７を介してあけられた孔に充填する。充填後、ロッド１５を地面より引き抜き、止めネジ１４を締めて固定する。この作業を車体フレーム３の前後で行い、車体フレーム３の固定を解除したのち、上述の操作を繰返し、孔あけを行ってコンポストを充填する。
【００２５】
上述の実施形態では、前後輪１、２のうち、後輪２のみが昇降できるようにしているが、別の実施形態では、一対の前輪１のみ或いは前輪１と後輪２が共に昇降できるようにされ、更に別の実施形態では、前後輪共、一対ずつ設けられ、前後輪のうち、少なくとも一方が昇降できるようにされる。
【００２６】
図４は、本発明に係る土壌改良機の別のタイプの全体構成を示すもので、前輪４１と後輪４２を備えた前輪駆動タイプの自走車よりなり、車体フレーム４３と、該車体フレーム４３に取付けられるエンジン４４、ホッパー４５、孔あけ機４６、走行と孔あけの切換えを行うクラッチ機構４７、孔あけ機４６の送り行うリンク機構４８とからなっており、以下これらについて順に説明する。
【００２７】
ホッパー４５は、前述のホッパー５と同様、コンポストが入れられ、出口に設けたゲート（図示しない）を開閉することによりシュート４９を介してコンポストが孔あけ機４６によって地面にあけられた孔に供給されるようにしてある。
【００２８】
孔あけ機４６は、図５に示されるように下端にスクリュー５１を昇降可能となるようにして連結したシャフト５２がエンジン４４よりクラッチ機構４７、ユニバーサルジョイント５３及び歯車伝動機構５４を介して動力の伝達が行われ、回転駆動されるようになっており、シャフト５２は適所において振動手段５５を有している。この振動手段は図６に示されるように、シャフト５２に遊嵌されると共に、内筒５６に嵌挿されて固定され、上端面を鋸歯状の端面カム５７としたリング状の衝撃受け５８と、シャフト５２にキー５９によって軸方向にスライド可能に連結され、シャフト５２とは回転方向には一体で、常にはバネ６１によって押し下げられて衝撃受け５８に噛合う衝撃体６２よりなり、シャフト５２が回転すると、衝撃体６２が衝撃受け５８上をガタガタと回動しながら上下動し、衝撃受け５８を介して孔あけ機４６全体に振動を与えるようになっている。
【００２９】
クラッチ機構４７は、エンジン４４により回転駆動されるシャフト６４に回転方向には一体でスライドのみ可能に嵌挿される切換クラッチ６５と、該切換クラッチ６５の両側においてシャフト６４に回転かつスライド可能に装着されるクラッチ体６６及び６７と、切換えクラッチ６５に連結され、切換クラッチ６５をシャフト６４に沿い、上又は下方に移動させてクラッチ体６６又は６７に係合させる操作レバー６８よりなり、クラッチ体６６は歯車伝動機構６９と共に前輪４１の駆動機構を構成し、クラッチ体６７は孔あけ機４６のシャフト５２と、ユニバーサルジョイント５３及び歯車伝動機構５４を介して連結されるシャフト６９に固定され、切換クラッチ６５の切換えにより前輪４１が回転駆動されるか、又は孔あけ機４６のシャフト５２が回転駆動されるようになっている。
【００３０】
リンク機構４８は、図７に示されるように中間部を車体フレーム４３に軸着したリンク７１と、スクリュー５１より突設されるピン７２が嵌合する長孔７３を有し、リンク７１とスクリュー５１を連結するリンク７４と、リンク７１端に軸着される操作部材７５よりなり、操作部材７５を一点鎖線位置より実線位置まで押し下げると、スクリュー５１が一転鎖線位置より実線位置まで押し下げられ、操作部材７５の押し下げ操作によりスクリュー５１による孔あけ時の送りが行われるようになっている。
【００３１】
図中、７１は車体フレーム４３に跳ね上げ可能に取り付けられ、足元で押さえることにより土壌改良機の妄動を阻止するための押さえである。
【００３２】
本実施形態の土壌改良機は以上のように構成され、使用時においては、操作レバー６８を操作して切換クラッチ６５をクラッチ体６６側に切換え、エンジン４４を起動して前輪４１を駆動し、土壌改良機を移動させる。所定位置まで移動したとき、操作レバー６８を操作して切換スイッチ６５を中立位置に切換える。これにより切換クラッチ６５がクラッチ体６６より離脱し、前輪駆動を停止して土壌改良機を停止させる。そして押さえ２７を降ろして足で押さえ、土壌改良機の動きを停止した状態において、次に操作レバー６８を操作して切換クラッチ６５をクラッチ体６７に係合させる。このときまでにスクリュー５１は、図７の一点鎖線位置に引き上げられており、この状態でスクリュー５１が回転駆動される。次に操作部材７５を押し下げながら、地面への孔あけを行う。
【００３３】
一定深さの孔があけられると、操作部材７５を押し上げ、スクリュー５１を地面上に引き上げる。その後、ホッパー４５の図示しないゲートを開け、ホッパー内のコンポストをシュート４９を介してあけられた孔に充填する。
【産業上の利用可能性】
【００３４】
本発明の土壌改良機は、柑橘類等の果樹園や耕作地に孔をあけ、コンポストを充填するのに使用することができる。
【図面の簡単な説明】
【００３５】
【図１】本発明に係わる土壌改良機の全体構成を示す正面図。
【図２】図１に示す土壌改良機に設置される車輪昇降機構の断面図。
【図３】孔あけ機の要部の断面図。
【図４】本発明に係る土壌改良機の別のタイプの正面図。
【図５】図４に示す土壌改良機のクラッチ機構を示す図。
【図６】シャフトに設けた振動機構を示す図。
【図７】図４に示す土壌改良機の送り機構を示す図。
【符号の説明】
【００３６】
１、４１・・前輪
２、４２・・後輪
３、４３・・車体フレーム
４・・固定手段
５、４５・・ホッパー
６、４６・・孔あけ機
８・・外管
９・・内管
１１・・ボールネジ
１２・・ナット
１３、３２・・ハンドル
１４・・止めネジ
１５・・ロッド
１７、４９・・シュート
２１・・外筒
２２・・内筒
２３・・中間筒
２４、３３、５２、６４、６９・・シャフト
２５、５１・・スクリュー
２６・・ピニオン
２７・・ギヤボックス
２８・・スクラッチ
２９、４４・・エンジン
３４、３５、３６・・歯車
４７・・クラッチ機構
４８・・リンク機構
５３・・ユニバーサルジョイント
５４、６９・・歯車伝動機構
５５・・振動手段
５６・・内筒
５８・・衝撃受け
５９・・キー
６１・・バネ
６２・・衝撃体
６５・・切換クラッチ
６６、６７・・クラッチ体
６８・・操作レバー
７１、７４・・リンク
７５・・操作部材
７７・・押え
【図１】
2004290191.tif 000003
【図２】
2004290191.tif 000004
【図３】
2004290191.tif 000005
【図４】
2004290191.tif 000006
【図５】
2004290191.tif 000007
【図６】
2004290191.tif 000008
【図７】
2004290191.tif 000009